(57)【要約】【課題】床置き収納家具の転倒防止および天井との隙間の有効利用ができる組立て設置が簡単で美観を損なわせない補助家具を提供すること。【解決手段】下部壁体２Ｌ，２Ｒとそこへ内蔵設置した手動の昇降機構３１によって上下移動する上部壁体３Ｌ，３Ｒとからなる側壁部材１Ｌ，１Ｒを収納家具と天井との間に設置し高さを調節して固定し、下部壁体２Ｌ，２Ｒに取り付けた扉部材２１と上部壁体３Ｌ，３Ｒに支持させた幕板部材１５とによって前面を閉鎖し、内部を収納空間として利用できるとともに、床置き収納家具との違和感がないようにした。【選択図】　　　図１
2004033403.tif 000002
【特許請求の範囲】
【請求項１】
左右に配置される高さ可変の側壁部材と、それらの下前端部に敷設される桟部材および前面上部を覆う幕板部材と、前記側壁部材の少なくとも一方に回転可能に取り付けられる扉部材と、前記側壁部材のそれぞれに内蔵された手動の昇降機構とを具えており、
前記側壁部材は中空の下部壁体とそこへ上方から嵌め込まれた上部壁体とからなり、前記扉部材は前記下部壁体に取り付けられるものとされているとともに、前記昇降機構は前記下部壁体に外部から操作可能に内蔵設置されて前記上部壁体を上下動させるものとされており、
そして、前記側壁部材は前記桟部材によって左右間隔が設定されるとともに、前記上部壁体の上端面が天井面に接し前記下部壁体の下端面が床置き収納家具の上面に接することによって固定され、且つ前記左右の側壁部材間の前面が前記幕板部材と扉部材とによって閉鎖される、
ことを特徴とする天井固定用補助家具。
【請求項２】
左右に配置される高さ可変の側壁部材および前記側壁部材の間に設置される高さ可変の中間壁部材と、それらの下前端部に敷設される桟部材および前面上部を覆う幕板部材と、前記側壁部材の少なくとも一方に回動可能に取り付けられる扉部材と、前記側壁部材および中間部材のそれぞれに内蔵された手動の昇降機構とを具えており、
前記側壁部材および中間壁部材は中空の下部壁体とそこへ上方から嵌め込まれた上部壁体とからなり、前記扉部材は前記側壁部材の下部壁体に取り付けられるものとされているとともに、前記昇降機構は前記下部壁体に外部から操作可能に内蔵設置されて前記上部壁体を上下動させるものとされており、
そして、前記側壁部材は前記桟部材によって左右間隔が設定されるとともに、前記側壁部材および中間壁部材は前記上部壁体の上端面が天井面に接し前記下部壁体の下端面が床置き収納家具の上面に接することによって固定され、且つ前記左右の側壁部材間の前面が前記幕板部材と扉部材とによって閉鎖される、
ことを特徴とする天井固定用補助家具。
【請求項３】
前記左右の側壁部材の間または一方の側壁部材と前記中間壁部材との間に敷設される棚板部材を具えている請求項１または２に記載した天井固定用補助家具。
【請求項４】
前記上部壁体の上端面にクッション層が設けられている請求項１または２に記載した天井固定用補助家具。
【請求項５】
前記昇降機構は前記下部壁体の前面から操作されるものとされている請求項１または２に記載した天井固定用補助家具。
【請求項６】
前記昇降機構が水平方向に設置されて手動操作により回転させられる駆動軸と、鉛直方向に設置されて前記上部壁体を載せた昇降軸と、前記駆動軸の回転に連動して前記昇降軸を上下方向へ移動させる伝動機構とを具えたものである請求項１または２に記載した天井固定用補助家具。
【請求項７】
前記昇降機構が前記上部壁体を載せて前記下部壁体に設置されたジャッキであり、手動操作によりジャッキ高が変わって前記上部壁体を上下方向へ移動させるものである請求項１または２に記載した天井固定用補助家具。
【請求項８】
前記桟部材が前記左右の下部壁体に基端がそれぞれ結合される二つの桟部片と、前記二つの桟部片の先端部分を嵌め込む連結部材とを具えたものとされている請求項１または２に記載した天井固定用補助家具。
【請求項９】
前記幕板部材が前記左右の上部壁体の前面部分に位置する左右の補助幕板と、前記補助幕板に両端部が保持される主幕板とを具えたものとされている請求項１または２に記載した天井固定用補助家具。
【請求項１０】
前記扉部材が基端部を前記左右の側壁部材にそれぞれ回動可能に取り付けられる二個であり、その一つの外表面に目隠し用の板部片が先端縁から突出して設けられている請求項１または２に記載した天井固定用補助家具。
【請求項１１】
前記側壁部材の下部壁体の前面および前記扉部材の閉扉時に前記前面と重なる部分に、前記昇降機構を操作するための操作孔が設けられている請求項１または２に記載した天井固定用補助家具。
【発明の詳細な説明】
【０００１】
【発明の属する技術分野】
本発明は床に置いた収納家具の上面と天井面との隙間に設置して収納家具の転倒防止と隙間の有効利用とを図ることに用いられる天井固定用補助家具に関するものである。
【０００２】
【従来の技術】
床置きの収納家具が地震により転倒するのを防止するため、その上面と天井面との隙間に天井面への押し当て手段を具えた補助家具を設置することが提案されている。
【０００３】
即ち、実開昭５６−３００５６号公報、特開昭５５−１０３８１２号公報には箱形補助棚の上面両側部にねじジャッキを上向きに設置してなり、収納家具に箱形補助棚を載せてねじジャッキを伸長し天井面に押し当てることによって固定状態に設置される補助家具が提示されている。また、特開２０００−３０８５４０号公報には天板を別体とした箱形本体の上面部分に昇降ボルトを設置してなり、収納家具に箱形本体を載せて昇降ボルトを回しその上に載せた天板を上昇させて天井面に押し当てることによって固定状態に設置される補助家具が提示されている。
【０００４】
これらの補助家具を使用すると、収納家具の上面と天井面との隙間の高さ寸法に差異があってもねじジャッキまたは昇降ボルトを用いたことによって確実に天井面に押し当てて固定することができ、また収納機能を有することから隙間を収納空間として利用することができる、という利点がある。
【０００５】
【発明が解決しようとする課題】
しかしながら、前記のねじジャッキを具えた補助家具はねじジャッキが上方に露出しているため、設置する場所によっては室内の美観を著しく損なうことがあり、また箱形補助棚は寸法が固定されているので隙間全体を収納空間として有効に利用することができない。一方、前記の昇降ボルトを具えた補助家具は天板の四周に幕板が設けられており、これが目隠しとして働くため室内の美観を損なう心配を伴わずに設置できるという利点をもっているが、昇降ボルトは箱形本体上面部分に架設した基材に設置されているため箱形本体内部で工具を操作して回さなければならず、設置作業が面倒且つ困難であるばかりか、隙間の高さによって容積が増加しても基材が架設されているためこれが邪魔になって収納空間として利用できる容積は増加しない。
【０００６】
本発明は前記従来の天井面への押し当て手段を具えた補助家具がもっている、美観を損なう心配がある、押し当て手段の操作が面倒且つ困難である、隙間全体を収納空間として有効利用できない、という課題を解決するためになされたものであって、これらの不都合を伴うことなく隙間に設置して使用することができる天井固定用補助家具を提供することを目的とする。
【０００７】
【課題を解決するための手段】
前記課題を解決するための手段として、本発明は左右に設置される高さ可変の側壁部材と、それらの下前端部に敷設される桟部材および前面上部を覆う幕板部材と、側壁部材の少なくとも一方に回転可能に取り付けられる扉部材と、側壁部材のそれぞれに内蔵された手動の昇降機構とを具えており、側壁部材は中空の下部壁体とそこへ上方から嵌め込まれた上部壁体とからなり、昇降機構は下部壁体に外部から操作可能に内蔵設置されて上部壁体を上下動させるものとし、そして、側壁部材は桟部材によって左右間隔が設定されるとともに、上部壁体の上端面が天井面に接し下部壁体の下端面が床置き収納家具の上面に接することによって固定され、且つ左右の側壁部材間の前面が幕板部材と扉部材とによって閉鎖されるものとした。
【０００８】
上部壁体と昇降機構とからなる押し当て手段の昇降機構が下部壁体に内蔵されていることによって美観を損なうことがなくなるとともに、昇降機構が下部壁体の外部から操作されることによって設置作業が簡単且つ容易なものとなり、且つ隙間の高さに応じて側壁部材間の空間容積が増減することと、この空間に邪魔な構成部材がないこととによって全体を収納空間として有効利用することができるようになる。
【０００９】
また、幕板部材と扉部材とによって前面が閉鎖されるため通常の収納家具と同じ外観を与え、床置き収納家具に重ねて違和感なく使用することができる。更に、床置き収納家具の上板、建物の壁または間仕切および天井を下板、背板および上板として利用できるので部品点数が少なく、従ってまた組立て設置が簡単に行なえる、という利点がある。
【００１０】
次に、前記課題を解決するためのもう一つの手段として、本発明は前記の手段に加えて、外部から操作可能な手動の昇降機構を内蔵設置した中空の下部壁体とそこへ上方から嵌め込まれた上部壁体とからなる中間壁部材を具えさせた。
【００１１】
中間壁部材は左右の側壁部材と協働して床置き収納家具を更に強固に固定し、また広幅の収納家具上方の隙間全体に高強度の補助家具を構築するのに役立つものである。
【００１２】
【発明の実施の形態】
図面を参照して本発明の実施の形態を説明すると、図１は本発明に係る補助家具の一形態を示す分解斜視図であって、同図において１Ｌは左側の側壁部材、１Ｒは右側の側壁部材、１Ｃはそれらの間に設置される中間壁部材、１１はそれらの下前端部に敷設される桟部材、１５は前面上部を覆う幕板部材、２１は左右の側壁部材１Ｌ，１Ｒのそれぞれに回動可能に取り付けられる扉部材、２５は内部に敷設される棚板部材、３１は側壁部材１Ｌ，１Ｒおよび中間壁部材１Ｃに内蔵設置された昇降機構を示している。
【００１３】
左右の側壁部材１Ｌ，１Ｒおよびそれらの間の中間壁部材１Ｃはいずれも上面を解放した扁平箱形の下部壁体２Ｌ，２Ｒ，２Ｃと、そこへ上方から嵌め込まれた下面を開放した扁平箱形の上部壁体３Ｌ，３Ｒ，３Ｃとからなり、左側の側壁部材１Ｌの下部壁体２Ｌの内側面下前端縁および右側の側壁部材１Ｒの下部壁体２Ｒの内側面下前端縁に取付孔を有する平板からなる連結部片４Ｌ，４Ｒがそれぞれ突設されている。また、上下両端に軸支孔を有する平板からなる軸受片５ｔ，５ｂを突設した帯板５で作られた扉取付部材６Ｌ，６Ｒが、各側壁部材１Ｌ，１Ｒの下部壁体２Ｌ，２Ｒの前端面に重ねて固着されており、上端の軸受片５ｔは下部壁体２Ｌ，２Ｒの上方で前方へ突出し、下端の軸受片５ｂは下部壁体２Ｌ，２Ｒの下端面よりも僅か上方で前方へ突出している。更に、上部壁体３Ｌ，３Ｒ，３Ｃの内部には、断面で示した右側の上部壁体３Ｒに見られるように平板状の受台７が固定設置されている。
【００１４】
尚、これら側壁部材１Ｌ，１Ｒおよび中間壁部材１Ｃは、左右の側壁部材１Ｌ，１Ｒに比べて中間壁部材１Ｃの前後長が桟部材１１の幅だけ短くされているほかは互いに同一寸法に作られている。また、各上部壁体３Ｌ，３Ｒ，３Ｃの上端面には不織布、スポンジなどの弾性材からなるクッション層８Ｌ，８Ｒ，８Ｃが積層されている。
【００１５】
桟部材１１は細長い平板であって、両端部上面に突起１２Ｌ，１２Ｒを有しており、これらの突起１２Ｌ，１２Ｒは連結部片４Ｌ，４Ｒの取付孔に嵌め込まれる。
【００１６】
幕板部材１５は左右の上部壁体３Ｌ，３Ｒの上端面に両端部が載る細長平板状の梁部片１６の一側端縁に沿ってその両端部を除き幕板１７を下方へ向け垂下したものであり、幕板１７は左右の側壁部材１Ｌ，１Ｒの間の前面上部領域を遮蔽する。また、この幕板１７は昇降機構３１によって上部壁体３Ｌ，３Ｒを最大高さ位置に上昇させたとき、下端縁が上方の軸受片５ｔよりも少し下方に位置する高さに作られている。
【００１７】
扉部材２１は二個準備されていて、左右の扉取付部材６Ｌ，６Ｒに取り付けられるそれぞれの基端部の上端面に軸孔２２Ｌ，２２Ｒが設けられているとともに下端面に下端軸２３Ｌ，２３Ｒを突出させて有しており、また上方の軸受片５ｔの軸支孔から軸孔２２Ｌ，２２Ｒに差し込まれる上端軸２４Ｌ，２４Ｒが準備されている。
【００１８】
棚板部材２５は二個準備されており、適宜厚さの平板であって左右両端縁部下面にくぼみ２６を有している。一方、左右の下部壁体２Ｌ，２Ｒの内側面および中間の下部壁体２Ｃの左右両側面に小突起からなる受部片２７が設けられており、これらの受部片２３にくぼみ２６を嵌め込むことによって棚板部材２５が敷設される。
【００１９】
次に、図１および図２（Ａ）、（Ｂ）に示した右側の側壁部材１Ｒに内蔵されている昇降機構３１を説明する。尚、左側の側壁部材１Ｌおよび中間壁部材１Ｃに内蔵されている昇降機構もこれと全く同じであり、この昇降機構３１は下部壁体２Ｒの内部に固定設置された保持部材３２と、この保持部材３２に互いに直角方向に保持された駆動軸３３および昇降軸３５と、これらを連動させる伝動機構である傘歯車３４，３６とを有している。
【００２０】
保持部材３２は駆動軸３３を回転自由且つ水平方向に貫通させて支持する互いに平行な二つの平板からなる軸支持片３２ａ，３２ｂと、昇降軸３５を回転自由且つ鉛直方向に貫通させて支持する互いに平行な二つの平板からなる軸支持部片３２ｃ，３２ｄと、下部壁体２Ｒの互いに向かい合った内側面に重ねて固定された互いに平行な平板からなる取付部片３２ｅ，３２ｆとからなり、これらは一枚の金属板を折り曲げることによって作られた一体成形品である。
【００２１】
駆動軸３３は先端に原動側の傘歯車３４を固着させて有しており、その基端は下部壁体２Ｒの前面に設けた操作孔３７の近くに位置している。昇降軸３５はねじ棒であって、中間部分に従動側の傘歯車３６を螺装しているとともに下端に過上昇を防止するストッパ３８を有している。また、この昇降軸３５は上端を上部壁体３Ｒの内部に設置した受台７の下面に設けた受孔３９に嵌め込んで上部壁体３Ｒを載せた状態としているとともに、傘歯車３６の上方部分を下部壁体２Ｒの内部に固定設置した案内部片４０の通孔に貫通させている。更に、駆動軸３３を外部から回転させる工具４１が準備されている。
【００２２】
このような構成に係る本実施の形態の設置手順を説明すると、先ず側壁部材１Ｌ，１Ｒ，中間壁部材１Ｃを床置き収納家具の上面に互いに平行となるように載せてそれらの背面を室の壁または間仕切に接触させるとともに、桟部材１１を床置き収納家具の上面前端縁部に載せてその両端の突起１２Ｌ，１２Ｒを連結部片４Ｌ，４Ｒの取付孔に嵌め込むことにより側壁部材１Ｌ，１Ｒに結合する。また、幕板部材１５の梁部片１６の両端部を上部壁体３Ｌ，３Ｒの上端面の前端部分に載せる。
【００２３】
次に、工具４１を操作孔３７に差し込んで駆動軸３３の基端部に嵌装係合し、この工具４１を回して駆動軸３３を回転させると、傘歯車３４，３６が回転して従動側の傘歯車３６に螺装貫通した昇降軸３５が上下方向へ移動する。操作孔３７は前面に開口しているので、工具４１を差し込んで回す作業を無理なく容易に行なうことができる。そして、上昇方向へ工具４１を回すことによって、昇降軸３５は上部壁体３Ｌ，３Ｒ，３Ｃをクッション層８Ｌ，８Ｒ，８Ｃが天井面に密着するまで押し上げる。実際の設置作業にあたっては、幕板部材１５が大きく傾かないように左右の側壁部材１Ｌ，１Ｒを交互に少しずつ高くし、これらのクッション層８Ｌ，８Ｒを天井面に密着させてから中間壁部材８Ｃを操作するのが好適である。尚、昇降軸３５を下方へ移動させると、上部壁体３Ｌ，３Ｒ，３Ｃは自重で追従しながら下降する。
【００２４】
本実施の形態によると、従動側の傘歯車３６は原動側の傘歯車３４と上方の軸支持部片３２ｃとに挟まれているので、回転に伴って上下方向へ動くことがなく、昇降軸３５を確実に上下方向へ移動させることができる。また、下端のストッパ３８が下方の軸支持部片３２ｄに当たることにより、設置作業前の故意の操作で過上昇させて上部壁体３Ｌ，３Ｒ，３Ｃを抜き出したり昇降軸３５が傘歯車３６から抜け出す、というトラブルを生じることが防止される。更に、駆動軸３３は二つの軸支持片３２ａ，３２ｂに支持され、昇降軸３５は二つの軸支持片３２ｃ，３２ｄに加えて案内部片４０に支持されていることにより、それぞれの中心軸線上で安定よく動作することができる。加えて、昇降軸３５は側壁部材１Ｌ，１Ｒ，中間壁部材１Ｃのそれぞれ中心に配置されているので、上部壁体３Ｌ，３Ｒ，３Ｃを傾けることなく平行移動させ、無理なく上昇させることができる。
【００２５】
側壁部材１Ｌ，１Ｒ，中間壁部材１Ｃが前記の操作によって床置き収納家具の上面と天井面とに挟み固定されたとき、棚板部材２５を敷設し、次に扉部材２１を下端軸２３Ｌ，２３Ｒ，上端軸２４Ｌ，２４Ｒを軸受片５ｔ，５ｂの軸支孔に差し込んで側壁部材１Ｌ，１Ｒに取り付けることによって設置を完了する。扉部材２１は閉じたとき図示しない止め金具によって不用意に開かないように桟部材１１に固定される。また、この扉部材２１は前面に開口した操作孔３７を塞いでいるので外観を損なうことがない。
【００２６】
図３は設置状況を概略的に示した図であって、床置き収納家具Ｆの上面Ｆａと天井面ＣＡとの隙間全体を塞いで設置され、その内部空間全体を収納空間として使用することができる。また、隙間の高さ寸法に差異があっても上部壁体３Ｌ，３Ｒ，３Ｃの移動量が無段階に可変であるため確実に固定できるとともに、幕板部材１５が扉部材２１の上方を塞ぐので前面が完全に閉鎖され、通常の収納家具と同様の外観を呈して違和感を与えたり美観を損なうことなく設置しておくことができる。
【００２７】
尚、中間壁部材１Ｃおよび棚板部材２５のいずれかまたは両方を用いなくても本発明の目的を達成させることができるが、床置き収納家具Ｆが広幅の場合に高強度とするため中間壁部材１Ｃを使用すること、或いは収納物品の大きさや数量によっては上方の隙間全体を有効利用して収納能力を高めるため棚板部材２５を使用すること、が好適である。また、扉部材２１は２個用いて両開き方式とする代わりに、１個を用いて片開き方式としてもよい。
【００２８】
図４は昇降機構の異なる実施の形態を示すものであって、図１，図２と同様に右側の側壁部材１Ｒに設置されているものについて説明する。本実施の形態に係る昇降機構７１は下部壁体２Ｒの内部に前後方向へ向け水平に配置した逆ねじ付きねじ棒７２の逆ねじ部分にナット７３ａ，７３ｂを螺装し、下部壁体２Ｒに設けた支持台７４の上面に固定した台７６と上部壁体３Ｒに設けた受台７５の下面に重ねた受板７７とナット７３ａ，７３ｂとをリンク７８によって連結してなる周知のねじジャッキである。ねじ棒７２の基端は下部壁体２Ｒの前面に設けた縦長の操作孔７９の近くに位置しており、図１，図２の実施の形態と同様の工具が準備されている。
【００２９】
工具を操作孔７９に差し込んでねじ棒７２の基端部に嵌装係合し、この工具を回してねじ棒７２を回転させると、ナット７３ａ，７３ｂが互いに接近し或いは遠ざかることによってリンク７８のアーム間隔が狭くなり或いは拡がり、これにより受板７７が上昇或いは下降してジャッキ高が変わることにより上部壁体３Ｒを上下移動させる。
【００３０】
次に、床置き収納家具の高さ寸法および幅寸法と天井高さとによって上方隙間の大きさは多様であり、隙間の高さ寸法の差異に対しては側壁部材１Ｌ，１Ｒ更には中間壁部材１Ｃが高さ可変であることによって対応することができる。しかし、前記実施の形態は幅方向の全部に亘ってその上方空間を利用し、且つ床置き収納家具と同幅であって違和感を全く与えないものとする、という要求を考慮していない。
【００３１】
図５以下は前記の要求に応えることができるようにした桟部材、幕板部材および扉部材の実施の形態を示すものである。
【００３２】
先ず、図５を参照して、桟部材５１は細長い平板からなる二つの桟部片５２Ｌ，５２Ｒと、これらの互いに向かい合った先端部分を嵌め込む扁平中空の連結部材５４とを具えており、桟部片５２Ｌ，５２Ｒの基端部上面には図１に示した連結部片４Ｌ，４Ｒの取付孔に嵌め込まれる突起５３Ｌ，５３Ｒを有している。左右の側壁部材１Ｌ，１Ｒを床置き収納家具の上面の左右両端に置いたとき、これらに取り付けた桟部片５２Ｌ，５２Ｒの先端間隔が収納家具の幅寸法によって異なることとなるが、連結部材５４への嵌め込み深さが変わることによって実質的に連続した一本の桟部材５１が形成され、外観を損なうことがない。また、扉部材の止め金具を桟部片５２Ｌ，５２Ｒに設けた場合、扉部材の回動中心からの距離が常に一定であるので、扉部材を確実に閉止させることができる。
【００３３】
次に、図６を参照して幕板部材５５は主幕板５６とその左右両端部に重ねた補助幕板５６Ｌ，５６Ｒとを有し、補助幕板５６Ｌ，５６Ｒは左右の上部壁体３Ｌ，３Ｒの上端面に載る重ね部片５７Ｌ，５７Ｒを直角に突出させている。また、主幕板５６の左右両端部に突起５８Ｌ，５８Ｒが設けられているとともに、補助幕板５６Ｌ，５６Ｒに数個の取付孔５９Ｌ，５９Ｒが設けられている。左右の側壁部材１Ｌ，１Ｒを床置き収納家具の上面の左右両端に置いたとき、それらの上部壁体３Ｌ，３Ｒの上端面に重ね部片５７Ｌ，５７Ｒを載せ、収納家具の幅寸法によって補助幕板５６Ｌ，５６Ｒの間隔が異なっても突起５８Ｌ，５８Ｒをその間隔に対応する間隔の取付孔５９Ｌ，５９Ｒに嵌め込んで主幕板５６を補助幕板５６Ｌ，５６Ｒに保持させることにより、実質的に連続した一枚の幕板が形成されることとなる。
【００３４】
尚、主幕板５６は補助幕板５６Ｌ，５６Ｒの裏面にスリット状の差込溝を設けて両端部を差し込み保持させることによって側壁部材１Ｌ，１Ｒの間隔が異なることに対応させてもよい。
【００３５】
更に、図７を参照して扉部材６１は２個準備してその一方の外表面に目隠し用の板部片６２を先端縁から突出させて設けたものである。左右の側壁部材１Ｌ，１Ｒの前端面に扉部材６１の基端部を取り付けたとき、側壁部材１Ｌ，１Ｒの間隔によって左右の扉部材６１の先端縁間にさまざまな幅の隙間を生じるが、板部片６２がこの隙間を塞ぐことによって内部の収納空間を閉鎖できるとともに外観を損なわせない。
【００３６】
ここで、前記の補助家具を設置して地震が発生したとき、揺れによって昇降機構３１，７１が緩んで側壁部材１Ｌ，１Ｒの床置き収納家具上面と天井面への押し付け力が低下することがある。このような場合を想定して、地震が収まったとき上部壁体３Ｌ，３Ｒが天井面に強く押し当てられていることの確認および再調整を行なうのが望ましい。そのために、扉部材６１を外すことなく昇降機構３１を操作できるように、下部壁体２Ｌ，２Ｒの前面に閉扉時に重なる基端部分に下部壁体２Ｌ，２Ｒの操作孔３７と一致する操作孔６３を設けた。このような操作孔６３は図１に示した実施の形態における扉部材２１にも設けることができる。尚、中間壁部材１Ｃの確認および再調整は扉部材２１，６１を開くことによって容易に行なうことができる。
【００３７】
本発明は高さ可変とした左右の側壁部材１Ｌ，１Ｒおよび必要に応じて使用する中間壁部材１Ｃによって床置き収納家具の転倒防止を図ると同時に、桟部材１１，５１，幕板部材１５，５５，扉部材２１，６１を用いて収納家具と天井との隙間に収納空間を形成するものであり、前述の実施の形態では収納家具の上板、建物の壁または間仕切、天井を下板、背板、上板にそれぞれ代用させているので、部品点数が少なく且つ組立て設置が簡単に行なえる、という利点があるが、これらを準備することを妨げるものではない。
【００３８】
【発明の効果】
以上のように、本発明によると床置き収納家具と天井との隙間に設置して収納家具の転倒防止機能と収納機能とを併せもち、且つ組立て設置が容易であるとともに隙間全体を収納空間として有効利用でき、しかも美観を損なうことがない補助家具が得られるものである。
【図面の簡単な説明】
【図１】本発明の実施の形態を示す一部切載した分解斜視図。
【図２】図１に示した実施の形態における側壁部材の（Ａ）は縦断面図、（Ｂ）は（Ａ）の拡大断面部分図。
【図３】図１に示した実施の形態の組立て設置状況を概略的に示す正面図。
【図４】昇降機構の異なる実施の形態を示す正面図。
【図５】桟部材の異なる実施の形態を示す斜視図。
【図６】幕板部材の異なる実施の形態を示す斜視図。
【図７】扉部材の異なる実施の形態を示す斜視図。
【符号の説明】
１Ｌ，１Ｒ　側壁部材，　１Ｃ　中間壁部材，２Ｌ，２Ｒ，２Ｃ　下部壁体，３Ｌ，３Ｒ，３Ｃ　上部壁体，１１，５１　桟部材，１５，５５　幕板部材，２１，６１　扉部材，２５　棚板部材，３１，７１　昇降機構，
【図１】
2004033403.tif 000003
【図２】
2004033403.tif 000004
【図３】
2004033403.tif 000005
【図４】
2004033403.tif 000006
【図５】
2004033403.tif 000007
【図６】
2004033403.tif 000008
【図７】
2004033403.tif 000009